(57)【要約】【課題】デバイス管理の負荷を低減できるデバイス管理装置を提供する。【解決手段】  本発明に係るデバイス管理装置１００は、複数種類のデバイスがそれぞれ複数接続可能に構成されている。第１作成部１３１は、接続されたデバイスのデバイス名として、それぞれに対応するドライバに対応する記号を付与する。第２作成部１３２は、第１作成部１３１で作成された記号のそれぞれに対して、デバイス管理装置１００との接続方法に対応する記号をさらに付加する。第１判定部１３４は、第２作成部１３２で作成された記号のうちに重複する記号があるか否かを判定する。第３作成部１３３は、第１判定部１３４によって重複すると判定された記号のそれぞれに対して、区別する記号をさらに付加する。【選択図】図２
2019197246.tif 000002
【特許請求の範囲】
【請求項１】
複数種類のデバイスがそれぞれ複数接続可能に構成されたデバイス管理装置であって、
接続されたデバイスに対応するドライバをインストールするインストール部と、
接続されたデバイスのデバイス名として、それぞれに対応するドライバに対応する記号を付与する第１作成部と、
前記第１作成部で作成された記号のそれぞれに対して、デバイス管理装置との接続方法に対応する記号をさらに付加する第２作成部と、
前記第２作成部で作成された記号のうちに重複する記号があるか否かを判定する第１判定部と、
前記第１判定部によって重複すると判定された記号のそれぞれに対して、区別する記号をさらに付加する第３作成部と、
接続された複数のデバイスについて、それぞれ前記第３作成部が作成した記号をデバイス名として登録する登録部と、
を備えた、
デバイス管理装置。
【請求項２】
前記第３作成部は、前記区別する記号として、それぞれ異なる数字を付加する、
請求項１に記載のデバイス管理装置。
【請求項３】
接続されたデバイスを、ドライバごとにグループ化する分類部と、
前記グループ化されたグループのそれぞれに対してグループ名を付与する第４作成部と、
を備えた、
請求項１または２に記載のデバイス管理装置。
【請求項４】
前記分類部によってグループ化されたグループごとに、グループ名を表示する第１表示部と、
前記第１表示部が表示する表示の内部において、それぞれのグループに属する前記登録されたデバイス名を表示する第２表示部と、
を備えた、
請求項３に記載のデバイス管理装置。
【請求項５】
アンインストールするドライバが選択されるアンインストール部と、
前記グループごとに、グループ名と前記アンインストール部で選択されたドライバとが対応するか否かを判定する第２判定部と、
前記第２判定部によって対応すると判定されたグループに係るデバイスの登録を削除する登録削除部と、
を備えた、
請求項３または４に記載のデバイス管理装置。
【請求項６】
接続されたデバイスを、ドライバと接続方法との組み合わせごとにグループ化する分類部と、
前記グループ化されたグループのそれぞれに対してグループ名を付与する第４作成部と、
を備えた、
請求項１または２に記載のデバイス管理装置。
【請求項７】
接続可能なデバイスにプリンタを含む、
請求項１〜６のいずれか一つに記載のデバイス管理装置。
【請求項８】
接続可能なデバイスに切削加工機を含む、
請求項１〜７のいずれか一つに記載のデバイス管理装置。
【請求項９】
接続可能なデバイスに三次元造形装置を含む、
請求項１〜８のいずれか一つに記載のデバイス管理装置。
【発明の詳細な説明】
【技術分野】
【０００１】
本発明は、デバイス管理装置に関する。
【背景技術】
【０００２】
従来から、複数のデバイスのジョブなどを管理するデバイス管理システムが知られている。上記デバイスは、例えば、プリンタや切削加工機や三次元造形装置などである。例えば特許文献１には、印刷ショップ管理装置と、印刷ショップ管理装置に接続された複数のプリンタを備えた印刷ショップ管理システムが開示されている。
【先行技術文献】
【特許文献】
【０００３】
【特許文献１】特開２０１０−４４７４８号公報
【発明の概要】
【発明が解決しようとする課題】
【０００４】
ところで、デバイス管理システムには、同じ機種のデバイスが複数台接続されることがしばしばある。このような場合、ユーザは、管理システム上でこれらデバイスの区別がつかず、デバイス管理の負荷が生じていた。
【０００５】
本発明はかかる点に鑑みてなされたものであり、その目的は、デバイス管理の負荷を低減できるデバイス管理装置を提供することである。
【課題を解決するための手段】
【０００６】
ここに開示するデバイス管理装置は、複数種類のデバイスがそれぞれ複数接続可能に構成されたデバイス管理装置であって、インストール部と、第１作成部と、第２作成部と、第１判定部と、第３作成部と、登録部とを備えている。
前記インストール部は、接続されたデバイスに対応するドライバをインストールする。前記第１作成部は、接続されたデバイスのデバイス名として、それぞれに対応するドライバに対応する記号を付与する。前記第２作成部は、前記第１作成部で作成された記号のそれぞれに対して、デバイス管理装置との接続方法に対応する記号をさらに付加する。前記第１判定部は、前記第２作成部で作成された記号のうちに重複する記号があるか否かを判定する。前記第３作成部は、前記第１判定部によって重複すると判定された記号のそれぞれに対して、区別する記号をさらに付加する。前記登録部は、接続された複数のデバイスについて、それぞれ前記第３作成部が作成した記号をデバイス名として登録する。
【０００７】
上記デバイス管理装置によれば、同じ機種のデバイスが複数台接続された場合でもこれらデバイスの区別がつき、デバイス管理の負荷を軽減することができる。
【図面の簡単な説明】
【０００８】
【図１】一実施形態に係るデバイス管理システムの構成例を示す模式図である。
【図２】デバイス管理装置のブロック図である。
【図３】グループ名とデバイス名の構成を示す表である。
【図４】簡易表示の一例を示す模式図である。
【図５】詳細表示の一例を示す模式図である。
【発明を実施するための形態】
【０００９】
以下、図面を参照しながら、一実施形態に係るデバイス管理システムについて説明する。なお、ここで説明される実施形態は、当然ながら特に本発明を限定することを意図したものではない。また、同じ作用を奏する部材、部位には同じ符号を付し、重複する説明は適宜省略または簡略化する。
【００１０】
図１は、一実施形態に係るデバイス管理システム１０の構成例を示す模式図である。図１に示すように、デバイス管理システム１０は、デバイス管理装置１００と、デバイス管理装置１００に接続された５つのデバイスＸ１、Ｘ２、Ｙ１、Ｙ２、Ｙ３、およびＹ４とを備えている。デバイスＸ１〜Ｙ４は、ここでは、それぞれプリンタである。
【００１１】
デバイス管理装置１００に接続された６つのデバイスＸ１〜Ｙ４のうち、デバイスＸ１およびＸ２は、第１機種Ｘのプリンタである。また、デバイスＹ１、Ｙ２、Ｙ３、およびＹ４は、第２機種Ｙのプリンタである。第１機種Ｘと第２機種Ｙとは、異なる機種である。デバイス管理装置１００には、このように、複数種類のデバイスがそれぞれ複数台接続されている。デバイス管理装置１００は、複数種類のデバイスがそれぞれ複数接続可能に構成されたデバイス管理装置である。
【００１２】
以下では、第１機種ＸのデバイスＸ１およびＸ２をそれぞれ、第１機種の第１デバイスＸ１および第１機種の第２デバイスＸ２と呼ぶことがある。あるいは、単に、第１デバイスＸ１および第２デバイスＸ２と呼ぶことがある。同様に、第２機種ＹのデバイスＹ１〜Ｙ４をそれぞれ、第２機種の第１デバイスＹ１〜第２機種の第４デバイスＹ４と呼ぶことがある。あるいは、単に、第１デバイスＹ１〜第４デバイスＹ４と呼ぶことがある。
【００１３】
第１機種の第１デバイスＸ１〜第２機種の第４デバイスＹ４は、それぞれ、ネットワークまたはＵＳＢを介してデバイス管理装置１００に接続されている。図１に示した例では、第１機種の第１デバイスＸ１は、ＬＡＮ（ネットワーク）を介してデバイス管理装置１００に接続されている。第１機種の第２デバイスＸ２は、ＵＳＢを介してデバイス管理装置１００に接続されている。第２機種の第１デバイスＹ１は、ＬＡＮ（ネットワーク）を介してデバイス管理装置１００に接続されている。第２機種の第２デバイスＹ２は、ＬＡＮ（ネットワーク）を介してデバイス管理装置１００に接続されている。第２機種の第３デバイスＹ３は、ＵＳＢを介してデバイス管理装置１００に接続されている。第２機種の第４デバイスＹ４は、ＵＳＢを介してデバイス管理装置１００に接続されている。
【００１４】
なお、ここでは、各デバイスＸ１〜Ｙ４とデバイス管理装置１００との接続方法は、ネットワーク接続またはＵＳＢ接続のいずれかであったが、他の接続方法によって接続されていてもよい。
【００１５】
デバイス管理装置１００は、接続されたデバイスを一括管理する装置である。ここでは、デバイス管理装置１００は、接続されたプリンタを一括管理する。デバイス管理装置１００は、例えば、各プリンタに印刷ジョブを送信し、各プリンタからステータス情報やエラー情報などを取得する。デバイス管理装置１００は、例えば、管理装置としての機能を発揮させるソフトウェアがインストールされたコンピュータである。しかしながら、デバイス管理装置１００は、コンピュータに限定されず、専用のハードウェアを備えた専用装置であってもよい。
【００１６】
図２は、デバイス管理装置１００のブロック図である。図２に示すように、デバイス管理装置１００は、インストール部１１０と、アンインストール部１２０と、デバイス名作成部１３０と、グループ名作成部１４０と、デバイス名登録部１５０と、デバイス名表示部１６０とを備えている。デバイス管理装置１００は、他の処理部を備えていてもよいが、ここでは図示および説明を省略する。
【００１７】
インストール部１１０は、接続されたデバイスに対応するドライバをインストールする。例えば、図１の場合には、インストール部１１０は、第１機種Ｘを制御するドライバと、第２機種Ｙを制御するドライバとをインストールする。ドライバは、例えば、ＣＤなどの記録媒体によってデバイス管理装置１００に供給され、ユーザの操作に基づいてインストールされる。
【００１８】
アンインストール部１２０では、アンインストールするドライバが選択され、選択されたドライバがアンインストールされる。アンインストールするドライバの選択は、例えば、ユーザの操作に基づいて行われる。
【００１９】
デバイス名作成部１３０は、デバイス管理装置１００に接続されたデバイスの登録名を自動作成する。図２に示すように、デバイス名作成部１３０は、第１作成部１３１と、第２作成部１３２と、第３作成部１３３と、第１判定部１３４とを備えている。
【００２０】
第１作成部１３１は、接続されたデバイスのデバイス名として、それぞれに対応するドライバに対応する記号を付与するように設定されている。本実施形態では、「対応するドライバに対応する記号」は、デバイスの機種名である。具体例については、図１の場合を例に後述する。
【００２１】
第２作成部１３２は、第１作成部１３１で作成された記号のそれぞれに対して、デバイス管理装置１００との接続方法に対応する記号をさらに付加する。図１の場合、デバイスＸ１〜Ｙ４とデバイス管理装置１００との接続方法は、それぞれ、ネットワーク接続またはＵＳＢ接続である。そこで、図１の場合は、ネットワーク接続またはＵＳＢ接続に対応する記号が各デバイスＸ１〜Ｙ４のデバイス名に付加される。具体例については、図１の場合を例に後述する。なお、ネットワーク接続とＵＳＢ接続以外の方法でデバイスが接続される場合には、当該他の接続方法に対応する記号が付加されるとよい。
【００２２】
第１判定部１３４は、第２作成部１３２で作成された記号のうちに重複する記号があるか否かを判定する。第２作成部１３２で作成された記号は、第１作成部１３１で付与された記号（ここでは、機種名）に対して接続方法に対応する記号が付加された記号である。デバイス管理装置１００に接続されたデバイスの中に、機種と接続方法とがともに共通するデバイスが複数ある場合、それらについて、第２作成部１３２で作成された記号が重複する。第１判定部１３４は、そのような重複の有無を判定する。
【００２３】
第３作成部１３３は、第１判定部１３４によって重複すると判定された記号のそれぞれに対して、区別する記号をさらに付加する。本実施形態では、第３作成部１３３は、区別する記号として、それぞれ異なる数字を付加する。具体例については、図１の場合を例に後述する。
【００２４】
グループ名作成部１４０は、接続されたデバイスを所定の分類規則に従ってグループ化し、各グループにグループ名を付与する。グループ名作成部１４０は、分類部１４１と、第４作成部１４２とを備えている。
【００２５】
分類部１４１は、接続されたデバイスをドライバごとにグループ化する。図１の例では、分類部１４１は、接続されたデバイスＸ１〜Ｙ４をドライバごとにグループ化する。ここでは、ドライバはデバイスの機種に対応しており、実質的に、デバイスＸ１〜Ｙ４を機種ごとにグループ化している。そこで、分類部１４１は、デバイスＸ１〜Ｙ４を、Ｘ１およびＸ２からなるグループと、Ｙ１〜Ｙ４からなるグループにグループ化する。
【００２６】
第４作成部１４２は、分類部１４１によってグループ化されたグループのそれぞれに対してグループ名を付与する。本実施形態では、第４作成部１４２は、各グループのグループ名として機種名を付与する。具体例については、図１の場合を例に後述する。
【００２７】
デバイス名登録部１５０は、デバイス名作成部１３０で自動作成された記号を各デバイスのデバイス名として登録する。また、ユーザの操作に基づき、登録されたデバイス名を変更する。さらに、アンインストール部１２０でドライバがアンインストールされた場合には、アンインストールされたドライバに対応するデバイスの登録を削除する。デバイス名登録部１５０は、登録部１５１と、登録変更部１５２と、登録削除部１５３と、第２判定部１５４とを備えている。
【００２８】
登録部１５１は、接続された複数のデバイスについて、それぞれ第３作成部１３３が作成した記号をデバイス名として登録する。
【００２９】
登録変更部１５２は、登録されたデバイス名を変更可能に構成されている。デバイス名の変更は、ここでは、ユーザの操作に基づいて行われる。
【００３０】
第２判定部１５４は、分類部１４１によってグループ化されたグループごとに、グループ名とアンインストール部１２０で選択されたドライバとが対応するか否かを判定する。
【００３１】
登録削除部１５３は、第２判定部１５４によってアンインストールするドライバに対応すると判定されたグループに係るデバイスの登録を削除する。具体例については、後述する。
【００３２】
デバイス名表示部１６０は、デバイス管理装置１００に登録されたグループ名とデバイス名とを表示する。ここでは、デバイス名表示部１６０は、デバイス管理装置１００が備えた表示装置、またはデバイス管理装置１００に接続された表示装置に、グループ名とデバイス名とを表示する。デバイス名表示部１６０は、第１表示部１６１と、第２表示部１６２とを備えている。
【００３３】
第１表示部１６１は、分類部１４１によってグループ化されたグループごとに、グループ名を表示するように設定されている。本実施形態では、グループはデバイスの機種ごとに構成されており、グループ名はデバイスの機種名と同じである。そこで、第１表示部１６１は、デバイスの機種ごとに、その機種名を表示する。
【００３４】
第２表示部１６２は、第１表示部１６１が表示する表示の内部において、それぞれのグループに属する登録されたデバイス名を表示する。第２表示部１６２は、ここでは、デバイスの機種ごとにその機種名が表示された表示の内部で、その機種の１つ１つのデバイスのデバイス名を表示する。第１表示部１６１と第２表示部１６２とによる表示の詳細については後述する。
【００３５】
以下では、図１に示されたデバイス管理システム１０を例として、デバイス管理装置１００の機能について説明する。まず、各デバイスＸ１〜Ｙ４のグループ名およびデバイス名を作成する手順について説明する。
【００３６】
図３は、グループ名およびデバイス名の構成を示す表である。図３において、１つの行は、１つのデバイスを示している。行の最も左の欄には、デバイスに係る図１の符号（Ｘ１〜Ｙ４のいずれか１つ）が示されている。その右側の欄には、デバイスに対応するグループ名が示されている。さらにその右側の欄には、デバイス名作成部１３０で作成された最初の登録デバイス名が示されている。最も右側の欄には、登録後に登録変更部１５２を介してユーザが変更した登録デバイス名が示されている。図３では、第２機種の第４デバイスＹ４の登録デバイス名がユーザによって変更されている。
【００３７】
図３に示すように、第１機種の第１デバイスＸ１と第１機種の第２デバイスＸ２とは、１つのグループにグループ化されている。また、第２機種の第１デバイスＹ１、第２機種の第２デバイスＹ２、第２機種の第３デバイスＹ３、および第２機種の第４デバイスＹ４は、他の１つのグループにグループ化されている。図３に示すように、それぞれのグループには、グループ名Ｎｇが付与されている。第１機種の第１デバイスＸ１と第１機種の第２デバイスＸ２とからなるグループには、“Ｘ”というグループ名が付与されている。第２機種の第１デバイスＹ１、第２機種の第２デバイスＹ２、第２機種の第３デバイスＹ３、および第２機種の第４デバイスＹ４からなるグループには、“Ｙ”というグループ名が付与されている。本実施形態では、グループ名Ｎｇは、それぞれのグループに属するデバイスの機種名と一致している。
【００３８】
図３に示すように、例えば、第２機種の第２デバイスＹ２は、“Ｙ〔ＩＰ〕（１）”というデバイス名で登録されている。このデバイス名は、ドライバ対応部分Ｎ１と、接続方法対応部分Ｎ２と、識別記号部分Ｎ３とを有している。
【００３９】
ドライバ対応部分Ｎ１は、デバイスのドライバに基づいて、第１作成部１３１によって付与される。例えば、第２機種の第２デバイスＹ２は、図１に示されているように、機種が第２機種Ｙである。そこで、第１作成部１３１は、まず、デバイスＹ２のデバイス名のドライバ対応部分Ｎ１として、“Ｙ”の記号を付与する。“Ｙ”は、デバイスＹ２の機種名である。
【００４０】
接続方法対応部分Ｎ２は、デバイスの接続方法に基づいて、第２作成部１３２によって付与される。例えば、第２機種の第２デバイスＹ２は、図１に示されているように、デバイス管理装置１００とネットワーク接続されている。そこで、第２作成部１３２は、第２機種の第２デバイスＹ２のデバイス名に、接続方法対応部分Ｎ２として“〔ＩＰ〕”の記号を付加する。“〔ＩＰ〕”は、本実施形態における、ネットワーク接続に対応する記号である。
【００４１】
ここまでのデバイス名作成の手順を他のデバイスに適用すると、次のようになる。即ち、第１機種の第１デバイスＸ１のデバイス名は、“Ｘ〔ＩＰ〕”となる。第１機種の第２デバイスＸ２のデバイス名は、“Ｘ〔ＵＳＢ〕”となる。第２機種の第１デバイスＹ１のデバイス名は、“Ｙ〔ＩＰ〕”となる。第２機種の第３デバイスＹ３のデバイス名は、“Ｙ〔ＵＳＢ〕”となる。第２機種の第４デバイスＹ４のデバイス名は、“Ｙ〔ＵＳＢ〕”となる。ここで、“〔ＵＳＢ〕”は、本実施形態における、ＵＳＢ接続に対応する記号である。
【００４２】
デバイス名の作成においては、次に、第１判定部１３４によってデバイス名の重複が判定される。図１の例では、第２機種の第１デバイスＹ１と、第２機種の第２デバイスＹ２のデバイス名が、この段階ではともに“Ｙ〔ＩＰ〕”であり、重複している。また、第２機種の第３デバイスＹ３と、第２機種の第４デバイスＹ４のデバイス名が、この段階ではともに“Ｙ〔ＵＳＢ〕”であり、重複している。そこで、これらが第３作成部１３３による識別記号部分Ｎ３の付加の対象となる。
【００４３】
次のステップでは、第１判定部１３４によって重複していると判定されたデバイス名に対して、識別記号部分Ｎ３がさらに付加される。ここでは、識別記号は数字である。第３作成部１３３は、ここでは、第２機種の第２デバイスＹ２のデバイス名に、識別記号部分Ｎ３として“（１）”を付加し、“Ｙ〔ＩＰ〕（１）”とする。また、第２機種の第４デバイスＹ４のデバイス名に、識別記号部分Ｎ３として“（１）”を付加し、“Ｙ〔ＵＳＢ〕（１）”とする。なお、本実施形態では、第２機種の第１デバイスＹ１および第２機種の第３デバイスＹ３のデバイス名には識別記号は付加されず、それぞれ、“Ｙ〔ＩＰ〕”および“Ｙ〔ＵＳＢ〕”のままである。このように、重複するデバイス名のうちの１つには、識別記号が付加されなくてもよい。ただし、他の好適な実施形態では、例えば、第２機種の第１デバイスＹ１に“Ｙ〔ＩＰ〕（１）”のデバイス名が付与され、第２機種の第２デバイスＹ２に“Ｙ〔ＩＰ〕（２）”のデバイス名が付与されてもよい。あるいは、さらに他の好適な実施形態では、識別記号は数字でなくともよい。識別記号の種類は限定されない。
【００４４】
次のステップでは、第３作成部１３３によって作成された記号がデバイス名として登録部１５１に登録される。
【００４５】
上記のようにして初期登録された各デバイスのデバイス名は、ユーザが変更できる。図３に示す例では、第２機種の第４デバイスＹ４のデバイス名が“Ｗ”に変更されている。変更後のデバイス名は任意に設定されてよい。
【００４６】
各デバイスＸ１〜Ｙ４のグループ名および登録デバイス名は、デバイス名表示部１６０によって表示装置に表示される。第２機種の第４デバイスＹ４のデバイス名については、変更後のデバイス名が表示される。図４、図５は、グループ名および登録デバイス名の表示の一例を示す模式図である。そのうち図４は、簡易表示Ｄ１の一例を示す模式図である。図５は、詳細表示Ｄ２の一例を示す模式図である。図４および図５は、図１に示された例に対応している。図４に示すように、簡易表示Ｄ１では、デバイス管理装置１００に接続されたデバイスのグループ名Ｎｇが一覧表示される。言い換えれば、デバイス管理装置１００に接続されているデバイスの機種名が表示される。ここでは、図４に示すように、簡易表示Ｄ１には、２つのグループのグループ名“Ｘ”および“Ｙ”がそれぞれ表示されている。
【００４７】
ユーザが図４で表示された“Ｘ”および“Ｙ”のうちから、例えば、“Ｙ”を選択すると、図５に示されるように、第２機種Ｙのデバイスが詳細表示Ｄ２として一覧表示される。詳しくは、第２デバイスＹ１の登録デバイス名“Ｙ〔ＩＰ〕”と、第２デバイスＹ２の登録デバイス名“Ｙ〔ＩＰ〕（１）”と、第３デバイスＹ３の登録デバイス名“Ｙ〔ＵＳＢ〕”と、第４デバイスＹ４の登録デバイス名“Ｗ”とが一覧表示される。ここで、第４デバイスＹ４の登録デバイス名は変更されているが、グループ名は“Ｙ”のままである。よって、第４デバイスＹ４は、グループ“Ｙ”に分類されている。
【００４８】
なお、他の好適な実施形態では、分類部１４１は、接続されたデバイスを、ドライバと接続方法との組み合わせごとにグループ化してもよい。そして、第４作成部１４２は、そのようにグループ化されたグループのそれぞれに対してグループ名Ｎｇを付与してもよい。これを図１の場合に当てはめると、接続されたデバイスＸ１〜Ｙ４は、ネットワーク接続された第１機種Ｘのグループと、ＵＳＢ接続された第１機種Ｘのグループと、ネットワーク接続された第２機種Ｙのグループと、ＵＳＢ接続された第２機種Ｙのグループとに分類される。上記各グループのグループ名Ｎｇは、例えば、それぞれ、“Ｘ〔ＩＰ〕”、“Ｘ〔ＵＳＢ〕”、“Ｙ〔ＩＰ〕”、および“Ｙ〔ＵＳＢ〕”というように付与される。このような実施形態によれば、接続されるデバイスの数が多くなった場合にも、各デバイスの区別がつきやすい。
【００４９】
このように、本実施形態に係るデバイス管理装置１００では、デバイス名作成部１３０によって、複数のデバイスをそれぞれ区別できる記号が自動作成され、デバイス名として登録される。かかるデバイス管理装置１００によれば、デバイス管理に係るユーザの負担を軽減することができる。
【００５０】
さらに、本実施形態に係るデバイス管理装置１００では、接続されたデバイスを表示する際、ドライバに対応するグループ名をまず簡易表示Ｄ１で表示し、簡易表示Ｄ１の内部の詳細表示Ｄ２において、各デバイスの登録デバイス名を表示する。このような表示方法によれば、視認性が向上し、デバイス選択操作に係るユーザの負担を軽減することができる。また、ユーザが初期の登録デバイス名を変更しても、簡易表示Ｄ１は変更されず、各デバイスと各グループとの間の対応関係も変更されない。
【００５１】
本実施形態に係るデバイス管理装置１００では、ドライバをアンインストールすると、そのドライバに対応するデバイスの登録が削除される。本実施形態では、アンインストールするドライバが選択されると、グループ名Ｎｇとアンインストール部１２０で選択されたドライバとが対応するか否かが、グループごとに判定される。そして、対応すると判定されたグループに係るデバイスの登録が削除される。
【００５２】
例えば、第１機種Ｘを制御するドライバをアンインストールする場合、各グループのグループ名Ｎｇが第１機種Ｘのドライバに対応しているか否かが判定される。図１の場合には、第１機種Ｘのドライバに対応するグループは、第１機種の第１デバイスＸ１および第１機種の第２デバイスＸ２からなるグループである。そこで、デバイス管理装置１００は、第１機種の第１デバイスＸ１および第１機種の第２デバイスＸ２の登録を削除する。
【００５３】
このように、かかるデバイス管理装置１００によれば、アンインストールするドライバと、デバイスのグループ名Ｎｇとを対照することにより、当該ドライバに対応するデバイスの登録を一括削除することができる。なお、グループ名Ｎｇは登録デバイス名とは別であり、登録デバイス名の変更操作によっても変更されない。よって、該当するデバイスは確実に削除される。
【００５４】
以上、本発明の好適な実施形態について説明した。しかし、上記の実施形態は例示に過ぎず、本発明は他の種々の形態で実施することができる。例えば、上記した実施形態では、デバイス管理装置に接続されたデバイスはプリンタであったが、それ以外のものでもよい。例えば、それは、切削加工機や三次元造形装置などであってもよい。デバイス管理装置は、接続可能なデバイスにプリンタを含んでいてもよいし、切削加工機を含んでいてもよいし、三次元造形装置を含んでいてもよい。これらが全て接続できてもよい。
【００５５】
また、表示画面のレイアウト、表示の種類や態様などは、上記したものに限定されない。
【００５６】
また、上記した実施形態では、同じ機種の複数のデバイスを区別する第１の技術の上に、簡易表示と詳細表示とを行う第２の技術と、ドライバのアンインストールに伴って当該ドライバに係るデバイスの登録を全て削除する第３の技術が付加されていた。しかしながら、第１の技術〜第３の技術は、それぞれ独立に実施されてもよい。
【符号の説明】
【００５７】
１００      デバイス管理装置
１１０      インストール部
１２０      アンインストール部
１３１      第１作成部
１３２      第２作成部
１３３      第３作成部
１３４      第１判定部
１４１      分類部
１４２      第４作成部
１５１      登録部
１５３      登録削除部
１５４      第２判定部
１６１      第１表示部
１６２      第２表示部
Ｘ１〜Ｙ４  デバイス
【図１】
2019197246.tif 000003
【図２】
2019197246.tif 000004
【図３】
2019197246.tif 000005
【図４】
2019197246.tif 000006
【図５】
2019197246.tif 000007